(57)【要約】【課題】旅客列車における座席の反転等に対応するに際し、簡単な構成および操作によって照明方向を変更することができるスポットライトを提供すること。【解決手段】支持体３に対して支持された状態で設けられるスポットライト１であって、開口部１１を有し、支持体３に対して固定されるハウジング部４と、ＬＥＤランプ２を保持し、ハウジング部４に対して両側方向に傾動可能に支持され、ＬＥＤランプ２からの光の照射および傾動操作が行われる端面部５ａを有し、端面部５ａを開口部１１に臨ませるとともに開口部１１側に付勢支持された状態でハウジング部４に収容される灯具部５とを備え、灯具部５は、両側方向それぞれについて、第一の傾動状態で、ローラ６１をローラ当接面１５に当接させた状態で保持され、傾動操作により第一の傾動状態からさらに傾動した第二の傾動状態とされ、第二の傾動状態となる度にＬＥＤランプ２の点灯および消灯の切換えを行う。【選択図】図１
2010006284.tif 000002
【特許請求の範囲】
【請求項１】
所定の光源を有し、所定の支持体に対して支持された状態で設けられるスポットライトであって、
少なくとも一側に開口部を有し、前記支持体に対して固定されるハウジング部と、
前記光源を保持し、前記ハウジング部に対して所定の基準線を中心として互いに反対側となる両側方向に傾動可能に支持され、前記光源からの光の照射および傾動操作が行われる端面部を有し、該端面部を前記開口部に臨ませるとともに該開口部側に付勢支持された状態で前記ハウジング部に収容される灯具部と、を備え、
前記灯具部は、前記両側方向それぞれについて、前記開口部の開口面に対して所定の角度傾動した状態である第一の傾動状態で、該灯具部に設けられる当接部材を前記ハウジング部の内側面に当接させた状態で保持され、傾動操作により前記第一の傾動状態からさらに傾動した状態である第二の傾動状態とされ、前記第二の傾動状態となる度に前記光源の点灯および消灯の切換えを行う、
ことを特徴とするスポットライト。
【請求項２】
前記当接部材が当接する前記内側面の位置が、前記開口部の開口面に対して平行方向に調整可能に構成され、
前記内側面の位置の調整により、前記所定の角度が調整されることを特徴とする請求項１に記載のスポットライト。
【発明の詳細な説明】
【技術分野】
【０００１】
本発明は、旅客列車の各座席に対して設けられる個別照明として好適に用いられるスポットライトの技術に関する。
【背景技術】
【０００２】
従来、旅客列車や旅客機等においては、座席に着席している乗客に対して、読書やパソコンの使用等のための個別照明のサービスが行われる場合がある。かかる場合、客室内を全体的に照らす室内照明に加え、各座席に対して個別の照明が設けられる。一方で、例えば旅客列車においては、上り方向と下り方向の変更等の車両の進行方向の切換えや乗客の好み等によって、座席が反転される場合がある。座席が反転されると、座席に着席する乗客の、車体（車両）に対する位置や姿勢（向き）が変化する。したがって、車体側に設けられる個別照明については、座席の反転にともなう乗客の車体に対する位置や姿勢の変化に合わせて、光の照射方向（照明方向）が変更されることが必要となる。
【０００３】
このような、旅客列車における座席の反転に対応するための個別照明についての技術が、特許文献１に開示されている。具体的には、特許文献１には、座席の反転に対応して、車体側に設けられる個別照明（読書灯）と、座席側に設けられて個別照明を操作するための操作装置との接続が自動的に切り換えられる装置構成が開示されている。しかし、特許文献１に示されている技術によれば、個別照明と操作装置との接続処理について、例えば一つの車両が備える全座席についての座席の向きが対象となる等、装置構成が複雑で大掛かりなものとなる。
【０００４】
また、各座席に対して設けられる個別照明について、旅客列車における座席の反転に対応するため、特許文献２に開示されている技術を応用することが考えられる。特許文献２には、車両の室内灯等として用いられるスポットランプであって、光の照射範囲を変更することができる構成のものが開示されている。具体的には、特許文献２のスポットランプにおいては、光を発する光源の、反射面により構成されるリフレクタとの相対的な距離の段階的な変化による照射範囲の広さの変更と、ボールジョイント構造によるボールジョイントの可動範囲内での光源の向き（光の照射方向）の変更とによって、光の照射範囲の変更が行われる。
【０００５】
確かに、特許文献２のスポットランプによれば、座席の反転にともなって照射範囲が変更されることで、座席の反転にともなう乗客の車体に対する位置等の変化に対応することができると考えられる。しかし、特許文献２のスポットランプにおいては、照明範囲の変更ための構成や操作が複雑であり、比較的多くの部品点数が必要とされている。また、座席の反転にともなう照明方向の変更については、必ずしも複雑な変更機能や広範な変更範囲が要求されない場合がある。
【０００６】
以上のように、従来技術においては、個別照明による照明方向について、簡単な構成および操作によって旅客列車における座席の反転等に対応することが困難であると考えられる。言い換えると、簡単な構成および操作によって、旅客列車における座席の反転等に対応することができる個別照明サービスが必要とされている。
【特許文献１】特開２００４−２５５９７０号公報
【特許文献２】特開２００２−１１４０９５号公報
【発明の開示】
【発明が解決しようとする課題】
【０００７】
本発明は、上記のような問題点に鑑みてなされたものであり、その解決しようとする課題は、旅客列車における座席の反転等に対応するに際し、簡単な構成および操作によって照明方向を変更することができるスポットライトを提供することにある。
【課題を解決するための手段】
【０００８】
本発明の解決しようとする課題は以上の如くであり、次にこの課題を解決するための手段を説明する。
【０００９】
すなわち、請求項１においては、所定の光源を有し、所定の支持体に対して支持された状態で設けられるスポットライトであって、少なくとも一側に開口部を有し、前記支持体に対して固定されるハウジング部と、前記光源を保持し、前記ハウジング部に対して所定の基準線を中心として互いに反対側となる両側方向に傾動可能に支持され、前記光源からの光の照射および傾動操作が行われる端面部を有し、該端面部を前記開口部に臨ませるとともに該開口部側に付勢支持された状態で前記ハウジング部に収容される灯具部と、を備え、前記灯具部は、前記両側方向それぞれについて、前記開口部の開口面に対して所定の角度傾動した状態である第一の傾動状態で、該灯具部に設けられる当接部材を前記ハウジング部の内側面に当接させた状態で保持され、傾動操作により前記第一の傾動状態からさらに傾動した状態である第二の傾動状態とされ、前記第二の傾動状態となる度に前記光源の点灯および消灯の切換えを行う、ものである。
【００１０】
請求項２においては、前記当接部材が当接する前記内側面の位置が、前記開口部の開口面に対して平行方向に調整可能に構成され、前記内側面の位置の調整により、前記所定の角度が調整されるものである。
【発明の効果】
【００１１】
本発明の効果として、以下に示すような効果を奏する。
すなわち、本発明によれば、旅客列車における座席の反転等に対応するに際し、簡単な構成および操作によって照明方向を変更することができる。
【発明を実施するための最良の形態】
【００１２】
本発明は、例えば旅客列車の各座席に対して設けられる読書灯として用いられるスポットライトについて、座席以外の車体部分（例えば座席の上方に設けられる荷棚）により構成される所定の支持体に固定された状態で設けられるハウジング部に対して、所定の光源を有する灯具部をシーソーのごとく傾動可能に内装する構成を採用したものである。そして、灯具部のハウジング部に対する傾動動作が、スポットライトにおける照明方向の変更操作、および点灯・消灯の切換え操作として用いられる。つまり、本発明に係るスポットライトにおいては、灯具部をハウジング部に対して傾動させる操作によって、照明方向の変更および点灯・消灯の切換えがワンタッチで行われる。以下、本発明の実施の形態について、図面に即して説明する。
【００１３】
本発明の第一実施形態について説明する。図１および図２に示すように、本実施形態に係るスポットライト１は、所定の光源を有し、所定の支持体３に対して支持された状態で設けられる。本実施形態のスポットライト１は、光源としてＬＥＤランプ２を有する。また、支持体３としては、例えば旅客列車において座席の上方に設けられる荷棚の下面部が採用される。
【００１４】
スポットライト１は、ハウジング部４と、このハウジング部４に対して傾動可能に内装される灯具部５とを備える。灯具部５は、スポットライト１において、光を照射する部分である照射部６と、操作される部分となる操作部７とを構成する。そして、スポットライト１においては、灯具部５がハウジング部４に対して傾動させられることにより、照明方向の変更、および点灯・消灯の切換えが行われる。
【００１５】
ハウジング部４について、図３〜図６および図１２を加えて説明する。ハウジング部４は、少なくとも一側に開口部１１を有し、支持体３に対して固定される。本実施形態では、ハウジング部４は、全体として略直方体形状を有するケーシングを構成するものであり、その一面側に開口部１１を形成する。開口部１１は、ハウジング部４の一面側を全体的に開放させる部分となる。
【００１６】
支持体３は、本実施形態では、孔部３ａを有する板状の部分である。支持体３の一側（図１等において上側）の板面が、ハウジング部４を支持する支持面３ｂとなる。ハウジング部４は、支持体３に対して、開口部１１が孔部３ａに臨む状態で支持される。このため、ハウジング部４は、開口部１１の外縁に形成される鍔部１２を有する。つまり、ハウジング部４は、鍔部１２の部分が支持面３ｂに対して固定されることによって支持体３に対して固定される。このように、ハウジング部４が支持体３に対して固定されることにより、スポットライト１が、支持体３に対して支持された状態で設けられる。以下の説明では、支持体３に対してハウジング部４が固定される側（図１等において上側）を上側、その反対側を下側として、上下方向を定義する。
【００１７】
ハウジング部４は、第一カバー体１０と、第二カバー体２０とを有する。つまり、第一カバー体１０と第二カバー体２０とが接合されることにより、ハウジング部４が構成される。第一カバー体１０および第二カバー体２０は、それぞれアルミ鋳造や樹脂成形等によって構成される。
【００１８】
第一カバー体１０は、一面側が開放された略直方体状の外形を有する。第二カバー体２０は、対向する一対の両面側が開放された略直方体状の外形を有する。第二カバー体２０の一側の開放部分により、ハウジング部４が有する開口部１１が形成される。第一カバー体１０においては、その開放側の端面によって第二カバー体２０に対する接合面１０ａが形成される。一方、第二カバー体２０においては、開口部１１と反対側の開放側の端面によって第一カバー体１０に対する接合面２０ａが形成される。第一カバー体１０の接合面１０ａと第二カバー体２０の接合面２０ａとは、略同一の形状および大きさを有する。そして、第一カバー体１０と第二カバー体２０とは、互いの接合面１０ａ、２０ａ同士が合わさった状態で接合される。
【００１９】
第一カバー体１０と第二カバー体２０との接合状態の固定は、締結具としてのネジ１３が用いられて行われる。このため、第一カバー体１０においては、内周側の四隅に、第二カバー体２０に対する接合方向（接合面１０ａに対して垂直方向）に貫通する挿通孔１０ｃを形成するボス部１０ｂが設けられている。同様にして、第二カバー体２０においては、内周側の四隅に、第一カバー体１０に対する接合方向（接合面２０ａに対して垂直方向）に貫通する締結孔２０ｃを形成するボス部２０ｂが設けられている。
【００２０】
第一カバー体１０の挿通孔１０ｃおよび第二カバー体２０の締結孔２０ｃは、第一カバー体１０と第二カバー体２０とが接合した状態（接合面１０ａ、２０ａ同士が合わさった状態）で互いに連通するように形成される。そして、挿通孔１０ｃと連通状態となっている締結孔２０ｃに対して、ネジ１３が、第一カバー体１０の外側（図５等において上側）から挿通孔１０ｃを介してねじ込まれることにより、第一カバー体１０と第二カバー体２０とが接合した状態で固定される。このように、第一カバー体１０と第二カバー体２０とが接合され固定されることにより、前記のとおり一面側に開口部１１を有する略直方体形状のハウジング部４が構成される。
【００２１】
灯具部５について、図７〜図１０を加えて説明する。灯具部５は、ＬＥＤランプ２を保持し、ハウジング部４に対して所定の基準線を中心として互いに反対側となる両側方向に傾動可能に支持される。また、灯具部５は、ＬＥＤランプ２からの光の照射および傾動操作が行われる端面部５ａを有する。そして、灯具部５は、端面部５ａをハウジング部４の開口部１１に臨ませるとともに開口部１１側（下側）に付勢支持された状態でハウジング部４に収容される。
【００２２】
すなわち、灯具部５は、ＬＥＤランプ２からの光を照射する照射部６および傾動させられるための操作が行われる操作部７を共通の端面部５ａに有する。そして、灯具部５は、照射部６および操作部７が構成される端面部５ａをハウジング部４の開口部１１に臨ませた状態でハウジング部４に収容される。本実施形態では、灯具部５は、全体として略楕円筒形状の外形を有し、ハウジング部４に内装された状態で、一端側の略楕円形状の面部が開口部１１に臨んだ状態となる。
【００２３】
灯具部５は、本体３０と、蓋体４０とを有する。つまり、本体３０が有する開口部が、蓋体４０によって覆われることにより、灯具部５の略楕円筒形状の外殻が構成される。本体３０および蓋体４０は、それぞれアルミ鋳造や樹脂成形等によって構成される。
【００２４】
本体３０は、一面側が開放された略楕円筒形状の外形を有する。つまり、本体３０は、その一面側に、略楕円形状の開口部３０ａを有する。蓋体４０は、略楕円板状の外形を有する。すなわち、蓋体４０が、本体３０が一面側に有する開口部３０ａに対して嵌合した状態で取り付けられる。
【００２５】
蓋体４０の本体３０に対する嵌合状態での固定は、締結具としてのネジ３３が用いられて行われる。このため、本体３０においては、本体３０の内部に、蓋体４０の嵌合方向（図９等における上下方向）に穿設される締結穴３０ｃを形成するボス部３０ｂが設けられている。ボス部３０ｂは、本体３０において、蓋体４０が取り付けられる側と反対側の面部に対して立設される円筒状の部分である。本実施形態では、ネジ３３が螺挿される締結穴３０ｃ（ボス部３０ｂ）は、本体３０が有する略楕円形状において中心位置に対して互いに略点対称となる二箇所の位置に設けられている（図７参照）。
【００２６】
一方、蓋体４０には、ネジ３３を挿通させるための挿通孔４０ｃが設けられている。挿通孔４０ｃは、蓋体４０が本体３０に対して嵌合した状態で、本体３０側の締結穴３０ｃに連通するように形成される。そして、挿通孔４０ｃが連通した状態の締結穴３０ｃに対して、ネジ３３が、蓋体４０の外側（図９等において上側）から挿通孔４０ｃを介してねじ込まれることにより、蓋体４０が本体３０に対して嵌合した状態で固定される。このように、蓋体４０が本体３０に対して嵌合され固定されることにより、前記のとおり略楕円筒形状の外形を有する灯具部５が構成される。
【００２７】
灯具部５において保持されるＬＥＤランプ２は、灯具部５に内装された状態で保持される。図１１に示すように、ＬＥＤランプ２は、半導体発光素子を内装するＬＥＤレンズ２ａと、実装基板２ｂと有し、これらが一体的となるユニット体として構成される。ＬＥＤランプ２においては、ＬＥＤレンズ２ａの一端面側に、実装基板２ｂが取り付けられる。そして、ＬＥＤレンズ２ａにおける実装基板２ｂが取り付けられる側と反対側（図１１（ｂ）において上側）の端面が、光を照射する照射面２ｃとなる。
【００２８】
実装基板２ｂの一端部には、電線２ｄが接続される。電線２ｄは、スポットライト１内において所定の経路で配線され、スポットライト１の外部に延出されて電源等に接続される。このため、灯具部５においては、蓋体４０に、電線２ｄが灯具部５外に延出されるための電源用孔４０ｆが形成されている。同様にして、ハウジング部４においては、第一カバー体１０の天井面部（上側面部）に、電源用孔１０ｆが形成されている。
【００２９】
灯具部５においては、蓋体４０側と反対側の端面部に、ＬＥＤランプ２からの光が照射される照射部６が設けられる。照射部６は、灯具部５に内装されるＬＥＤランプ２からの光を外部に照射させる照射窓として構成される。具体的には、灯具部５を構成する本体３０において、蓋体４０が嵌合される側と反対側（図９等において下側）の面部に、ＬＥＤランプ２からの光の外部への照射を許容する開口部（以下「照射用開口部」という。）３０ｄが設けられる。照射用開口部３０ｄは、円形状の孔部として形成され、本体３０が有する略楕円形状における中心位置に設けられる。
【００３０】
そして、ＬＥＤランプ２は、その照射面２ｃが、灯具部５の内部から本体３０の照射用開口部３０ｄに臨むような姿勢で保持される。ここで、ＬＥＤランプ２と照射用開口部３０ｄとの間には、ＬＥＤランプ２からの光を透過させるガラス体３１が介装される。ガラス体３１としては、例えば耐熱ガラス等が用いられる。ガラス体３１は、円形状の照射用開口部３０ｄよりも大きい径の円板形状を有し、照射用開口部３０ｄを本体３０の内部側から塞ぐように設けられる。ガラス体３１は、本体３０の内部において照射用開口部３０ｄの周縁に突出形成される嵌合部３０ｅに嵌合することで、位置決めされた状態となる。嵌合部３０ｅは、ガラス体３１の外周面形状に沿う位置決め面を内周面として有する略円筒状の部分として形成される（図９参照）。
【００３１】
このように、ＬＥＤランプ２は、灯具部５内において、照射面２ｃをガラス体３１を介して照射用開口部３０ｄに臨ませる姿勢で設けられる。かかる姿勢で灯具部５に内装されるＬＥＤランプ２は、蓋体４０の内面側に突出形成される支持突部が用いられることで位置決めされた状態となる。本実施形態における蓋体４０は、ＬＥＤランプ２を位置決めするための支持突部として、一対の平行な板状部分である突条部４０ｄと、矩形状の四隅に対応する配置で四本設けられる円柱状の部分である突起部４０ｅとを有する。突条部４０ｄは、ＬＥＤランプ２を実装基板２ｂにおけるＬＥＤレンズ２ａ側と反対側の板面側から支持する。突起部４０ｅは、ＬＥＤランプ２を実装基板２ｂの側面側から支持する。
【００３２】
すなわち、ＬＥＤランプ２は、照射面２ｃがガラス体３１の内側面に接触し、実装基板２ｂの板面が突条部４０ｄの先端面に接触した状態で、本体３０とこれに嵌合する蓋体４０とによって挟まれるとともに、実装基板２ｂが側面側から四本の突起部４０ｅに支持されることにより、灯具部５内において位置決めされた状態で保持される。以上のようにして、灯具部５においては、蓋体４０側と反対側の端面部における中央部分に、スポットライト１の照射部６が構成される。
【００３３】
また、灯具部５においては、照射部６が構成される側と同じ側の端面部に、スポットライト１の操作部７が構成される。本実施形態では、操作部７として、本体３０の底面（図９等における下側面）において、本体３０が有する略楕円形状における長手方向（長軸方向）の両端側にスリット群３０ｆが形成されている。スリット群３０ｆは、本体３０が有する略楕円形状の短手方向（短軸方向）に沿う複数の平行なスリット（溝）により構成される形状部分である。
【００３４】
操作部７として形成される各スリット群３０ｆは、灯具部５がハウジング部４に対して傾動させられるために押圧操作される部分となる。すなわち、本体３０の端面部において両端側に設けられる操作部７のうち、一方の操作部７が、灯具部５がハウジング部４に対して一側方向に傾動させられる際に押圧される部分となり、他方の操作部７が、その反対側方向に傾動させられる際に押圧される部分となる。言い換えると、本体３０の端面部において両端側に設けられる操作部７は、互いに反対側となる両側方向に灯具部５をハウジング部４に対して傾動させるための被押圧部となる。このように、灯具部５のハウジング部４に対する傾動は、灯具部５の平面視形状である略楕円形状（以下「灯具部５の略楕円形状」という。）の長手方向側について行われる。
【００３５】
以上のように、灯具部５においては、蓋体４０側と反対側の端面部となる共通の端面部に、照射部６と操作部７とが構成される。このような構成を有する灯具部５が、ハウジング部４に対して傾動可能に支持される。
【００３６】
続いて、灯具部５のハウジング部４に対する支持構成について説明する。灯具部５は、ハウジング部４を構成する第一カバー体１０と第二カバー体２０とによって挟まれた状態で支持される。具体的には、灯具部５は、略楕円筒形状の外形における外周側面に設けられる支持突起３４が第一カバー体１０と第二カバー体２０とによって挟まれることで、ハウジング部４に対して支持される。
【００３７】
支持突起３４は、灯具部５を構成する本体３０の外周側面において、灯具部５の略楕円形状の短手方向の両側に突出形成される。支持突起３４は、本体３０の外周側面において、本体３０が有する略楕円筒形状における長手方向（長軸方向）および筒軸方向（上下方向）について略中央位置に設けられる。つまり、灯具部５は、灯具部５の略楕円形状における短手方向（短軸方向）に対向する位置にて、同短手方向の両側に向けて突出するように形成される二つの支持突起３４を有する。
【００３８】
支持突起３４は、灯具部５の略楕円筒形状における筒軸方向（上下方向）を長手方向とする略長円形状であって、その長手方向の下端側が略Ｖ字状に尖った部分となる形状を有する。したがって、支持突起３４においては、上端側の側面部は、略円弧形状に沿う形状を有し、下端側の側面部は、略Ｖ字状に沿う形状を有する。
【００３９】
このように灯具部５に設けられる二つの支持突起３４が、第一カバー体１０が有する支持凸部１０ｄと、第二カバー体２０が有する支持凹部２０ｄとによって挟まれた状態となることにより、灯具部５がハウジング部４に対して傾動可能に支持される。
【００４０】
支持凸部１０ｄは、第一カバー体１０において、ハウジング部４の平面視形状（図３等参照）である略長方形状における短手方向（以下「平面視短手方向」という。）に対向する両側壁部の下端面（接合面１０ａ）にて下方に向けて突出形成される部分である。支持凸部１０ｄの先端面１０ｅは、灯具部５が有する支持突起３４の上端側の側面部に沿うように、略円弧状に湾曲する凹部形状を有する。
【００４１】
支持凹部２０ｄは、第二カバー体２０において、平面視短手方向に対向する両側壁部の上端面（接合面２０ａ）にて下方に向けて形成される切欠き部分である。支持凹部２０ｄの底面２０ｅは、灯具部５が有する支持突起３４の下端側の側面部に沿うように、略Ｖ字状に屈曲した凹部形状を有する。
【００４２】
支持凸部１０ｄおよび支持凹部２０ｄは、いずれもハウジング部４の平面視形状である略長方形状における長手方向（以下「平面視長手方向」という。）の略中央位置に設けられる。そして、第一カバー体１０と第二カバー体２０とが接合した状態で、支持凸部１０ｄが支持凹部２０ｄに嵌合した状態となる。つまり、支持凸部１０ｄは、第一カバー体１０と第二カバー体２０とが接合した状態で、ハウジング部４において第二カバー体２０の壁部の一部を構成する部分となる。
【００４３】
第一カバー体１０と第二カバー体２０とが接合することで支持凸部１０ｄが支持凹部２０ｄに嵌合した状態で、ハウジング部４を構成する壁部において、支持凸部１０ｄの先端面１０ｅと、支持凹部２０ｄの底面２０ｅを含む面部とにより、孔部が形成される。この先端面１０ｅと底面２０ｅを含む面部とにより形成される孔部に対して、ハウジング部４に内装される灯具部５の支持突起３４が嵌合した状態となる。つまり、灯具部５は、先端面１０ｅと底面２０ｅを含む面部とによりハウジング部４の壁部に形成される孔部に対して支持突起３４を嵌合させた状態となることにより、ハウジング部４に対して内装された状態で傾動可能に支持された状態となる。そして、灯具部５は、支持突起３４の下端部が支持凹部２０ｄの底面２０ｅに支持された状態で、灯具部５のハウジング部４に対する傾動にともなう支持突起３４の上端部の移動が支持凸部１０ｄの先端面１０ｅの形状によって許容されながら、ハウジング部４に対して傾動する。
【００４４】
ここで、灯具部５は、前記のとおりハウジング部４に対して所定の基準線を中心として互いに反対側となる両側方向に傾動可能に支持される。本実施形態において、灯具部５の傾動についての所定の基準線は、スポットライト１において二箇所存在する、灯具部５の支持突起３４によるハウジング部４に対する支持部（詳細には、支持突起３４の下端の、支持凹部２０ｄの底面２０ｅに対する接触部、図１５符号Ｐ参照。）が位置する直線ＳＬ（以下「基準線ＳＬ」とする。）に対応する（図８、図１４参照）。
【００４５】
また、灯具部５の傾動について、基準線ＳＬを中心として互いに反対側となる両側方向（以下単に「両側方向」という。）とは、前記のとおり灯具部５の略楕円形状の長手方向側について行われる灯具部５の傾動動作において、その長手方向の一側への傾動により傾く方向と、同長手方向の他側への傾動により傾く方向とを意味する。言い換えると、灯具部５の傾動について基準線ＳＬを中心とする両側方向とは、灯具部５が支持突起３４によるハウジング部４に対する支持部を略中心位置として互いに反対方向に回転するように傾く両方向となる。このように、ハウジング部４に対して基準線ＳＬを中心として両側方向に傾動可能に支持される灯具部５は、ハウジング部４に対して基準線ＳＬを中心としてシーソーのごとく傾動する。
【００４６】
このようにハウジング部４に対して傾動可能に支持される灯具部５は、照射部６および操作部７が構成される端面部５ａをハウジング部４の開口部１１に臨ませた状態でハウジング部４に収容される。すなわち、灯具部５がハウジング部４に内装された状態においては、ハウジング部４の開口部１１から、共通の端面部５ａに構成される照射部６および操作部７が露出した状態となる。
【００４７】
このように、スポットライト１が支持体３に支持された状態においては、照射部６および操作部７が、支持体３の孔部３ａを介して下側に向けて露出した状態（臨んだ状態）となる。かかる状態となることにより、孔部３ａを介して、支持体３の下側への照射部６からの光の照射と、支持体３の下側からの操作部７に対する操作が可能となる。したがって、支持体３の孔部３ａは、支持体３に支持された状態のスポットライト１において、操作部７によって操作されることによる灯具部５のハウジング部４に対する傾動を許容する大きさ・形状を有するように形成される。例えば、支持体３の孔部３ａは、灯具部５の略楕円形状よりも一回り大きい略楕円形状として形成される。
【００４８】
以上のようにハウジング部４に対して傾動可能に支持される灯具部５は、ハウジング部４に対する傾動状態として、両側方向それぞれについて、第一の傾動状態と第二の傾動状態とを有する。第一の傾動状態は、開口部１１の開口面（以下「基準開口面」という。）に対して所定の角度傾動した状態である。灯具部５は、この第一の傾動状態で、灯具部５に設けられる当接部材としてのローラ６１をハウジング部４の内側面に当接させた状態で保持される。ここでローラ６１が当接するハウジング部４の内側面は、ハウジング部４において平面視長手方向に対向する両側壁部の内側面（以下「ローラ当接面」という。）１５となる。また、第二の傾動状態は、灯具部５の、操作部７による傾動操作により第一の傾動状態からさらに傾動した状態である。
【００４９】
すなわち、スポットライト１において、灯具部５の第一の傾動状態は、灯具部５が操作部７による操作等外部からの負荷を受けてない状態（以下「通常状態」という。）での灯具部５の傾動状態である。そして、灯具部５の第二の傾動状態は、灯具部５が第一の傾動状態から操作部７による操作等によって押し上げられることで実現される灯具部５の傾動状態である。
【００５０】
したがって、図１に示すように、第一の傾動状態の灯具部５は、基準開口面に対して（図１における左右方向（水平方向）に対して）、角度θ１傾いた状態となる。また、図２に示すように、第二の傾動状態の灯具部５は、基準開口面に対して（図２における左右方向（水平方向）に対して）、角度θ２（＞θ１）傾いた状態となる。本実施形態では、第一の傾動状態は、灯具部５が所定の角度として５°傾いた状態（θ１＝５°）として設定され、第二の傾動状態は、灯具部５が７°傾いた状態（θ２＝７°）として設定される。
【００５１】
そして、灯具部５は、第二の傾動状態となる度にＬＥＤランプ２の点灯および消灯の切換えを行う。すなわち、スポットライト１においては、灯具部５が、操作部７によって第二の傾動状態とされる度に、ＬＥＤランプ２の点灯により照射部６からの光の照射が行われる点灯状態と、ＬＥＤランプ２の消灯により照射部６からの光の照射が行われない消灯状態とが切り換わる。
【００５２】
図１等に示すように、スポットライト１における灯具部５の傾動による点灯状態と消灯状態との切換えは、スポットライト１が有する二個のスイッチ２１が用いられて行われる。つまり、スイッチ２１によってＬＥＤランプ２がＯＮの状態とされることで、スポットライト１は点灯状態となり、スイッチ２１によってＬＥＤランプ２がＯＦＦの状態とされることで、スポットライト１は消灯状態となる。なお、以下の説明においては、二個のスイッチ２１をそれぞれ区別して指す場合は、便宜上、一方のスイッチ２１を「第一スイッチ２１ａ」とし、他方のスイッチ２１を「第二スイッチ２１ｂ」とする。
【００５３】
図１３、図１５および図１６に示すように、スイッチ２１は、スポットライト１において、ハウジング部４の内部に設けられる。スイッチ２１は、ハウジング部４を構成する第一カバー体１０の天井面部に対してステー２２を介して支持された状態で設けられる。ステー２２は、略Ｌ字状に折曲げ形成された板状の部材であり、略Ｌ字状の一側の板状部分が第一カバー体１０の天井面部に対してネジ２３によって固定されるとともに、略Ｌ字状の他側の板状部分にスイッチ２１を支持する。スイッチ２１は、ステー２２において第一カバー体１０の天井面部から垂下した状態となる前記他側の板状部分に対して、二本のネジ２４によって固定される。
【００５４】
スイッチ２１は、その一端側にボタン２５を有する。スイッチ２１は、ボタン２５が押されるあるいは接触を受けるたびに、ＬＥＤランプ２のＯＮ／ＯＦＦが切り換わる構成を有する。したがって、スイッチ２１は、ハウジング部４内において、灯具部５が第二の傾動状態となることにより、ＬＥＤランプ２のＯＮ／ＯＦＦが切り換わるようにボタン２５が押されるあるいは接触を受けるような位置および姿勢で支持される。本実施形態では、二つのスイッチ２１は、ハウジング部４の平面視形状である略長方形状において略対角位置に配置される（図１３参照）。そして、各スイッチ２１は、ボタン２５が下側を向くとともに、灯具部５の両側方向における各第二の傾動状態における傾きに応じて傾いた姿勢で支持される（図１５参照）。
【００５５】
図１８に示すように、スイッチ２１（第一スイッチ２１ａおよび第二スイッチ２１ｂ）は、電源等を含む制御回路２６を介してＬＥＤランプ２に接続される。スイッチ２１は、制御回路２６に対してＬＥＤランプ２を点滅させる信号を送る。第一スイッチ２１ａと第二スイッチ２１ｂとは、制御回路２６に対してパラレル接続（並列接続）される。かかる回路構成において、制御回路２６により、第一スイッチ２１ａおよび第二スイッチ２１ｂそれぞれによってＬＥＤランプ２のＯＮ／ＯＦＦが切り換えられるような制御が行われる。
【００５６】
すなわち、ＬＥＤランプ２がＯＦＦの状態で、第一スイッチ２１ａおよび第二スイッチ２１ｂのいずれかが操作（灯具部５の傾動によるボタン２５に対する押圧あるいは接触）を受けると、ＬＥＤランプ２がＯＮの状態となる。また、ＬＥＤランプ２がＯＮの状態で、第一スイッチ２１ａおよび第二スイッチ２１ｂのいずれかが操作を受けると、ＬＥＤランプ２がＯＦＦの状態となる。
【００５７】
続いて、灯具部５のハウジング部４に対する傾動状態の保持構成について説明する。前記のとおり、灯具部５のハウジング部４に対する支持状態としての第一の傾動状態については、基準開口面に対して所定の角度（５°）傾動した状態の灯具部５の傾動状態が保持される。第一の傾動状態における、灯具部５の傾動状態の保持は、ハウジング部４に対して傾動する灯具部５を付勢した状態で支持する付勢支持部５０による付勢作用と、ハウジング部４に対して傾動する灯具部５をハウジング部４に当接した状態で支持する当接支持部６０による付勢作用とが用いられて行われる。
【００５８】
付勢支持部５０による付勢作用としては、ハウジング部４と灯具部５との間に介装され灯具部５をハウジング部４に対して開口部１１側に付勢する弾性部材としてのバネ５１による付勢作用が用いられる。バネ５１は、ハウジング部４の平面視形状である略長方形状の中心位置において、伸縮方向が略上下方向となる姿勢で、ハウジング部４と灯具部５との間に介装支持される。したがって、付勢支持部５０は、ハウジング部４と灯具部５との間に介装されるバネ５１を、前記のとおり中心位置において伸縮方向が略上下方向となる姿勢で支持する部分となる。
【００５９】
付勢支持部５０において、バネ５１の上側の部分は、ハウジング部４を構成する第一カバー体１０に対してバネ受け５２を介して支持される。具体的には、第一カバー体１０の内側（下側）において、バネ５１の上側の部分を支持するための上側バネ支持部１４が設けられる。上側バネ支持部１４は、第一カバー体１０に対して一体的に形成される部分であり、突壁部１４ａと、嵌合突部１４ｂと、支持突部１４ｃとを有する。
【００６０】
突壁部１４ａは、第一カバー体１０の天井面部の内面中央部において四方を囲むように下方に向けて突出形成される壁状部分である。突壁部１４ａは、その平面視形状である略長方形状が、ハウジング部４の平面視形状である略長方形状に対して沿うとともに同心となるように形成される。
【００６１】
嵌合突部１４ｂは、突壁部１４ａを構成する壁部のうち、平面視短手方向に対向する両壁部の内側面にて突出形成される。嵌合突部１４ｂは、平面視長手方向の中央位置において、上下方向に沿うように形成される突条部分である。したがって、両嵌合突部１４ｂは、平面視短手方向に対向する方向に突出した部分となる。
【００６２】
支持突部１４ｃは、第一カバー体１０の天井面部の内側面（突壁部１４ａの突出面）にて突出形成される。支持突部１４ｃは、対向する二つの嵌合突部１４ｂの間において、平面視短手方向に沿うように形成される、断面形状が略Ｖ字状（山型）となる突条部分である。
【００６３】
これらの各部を有する上側バネ支持部１４に対して、バネ受け５２が、傾動可能に嵌合された状態となる。図１９に示すように、バネ受け５２は、底板部５２ａと、底板部５２ａの両端側から底板部５２ａに対して略直角方向に形成される互いに平行な側板部５２ｂとを有する略Ｕ字状に折曲げ形成された板状の部材である。バネ受け５２は、底板部５２ａ側（図１９（ｂ）、（ｃ）において上側）から、上側バネ支持部１４に対して嵌合される。したがって、バネ受け５２が上側バネ支持部１４に嵌合された状態では、支持突部１４ｃ（の稜線部）が底板部５２ａの外側底面５２ｃに当接した状態となる。
【００６４】
また、バネ受け５２は、上側バネ支持部１４に対して、互いに対向する嵌合突部１４ｂによって位置決めされた状態で嵌合される。すなわち、バネ受け５２は、底板部５２ａに、嵌合突部１４ｂの形状に沿うように形成される凹部５２ｄを有する。つまり、凹部５２ｄは、底板部５２ａにおいて一対の対向する辺部に形成される切欠き部分である。したがって、図１９（ａ）に示すように、バネ受け５２は、外側底面５２ｃ側からの方向視で略Ｈ字状の形状を有する。
【００６５】
このような形状を有するバネ受け５２が、上側バネ支持部１４に対して、外側底面５２ｃが支持突部１４ｃに接触するとともに、凹部５３ｄが嵌合突部１４ｂに対して嵌合した状態となる。かかる状態において、バネ受け５２は、平面視短手方向および平面視長手方向について位置決めされるとともに、支持突部１４ｃに対する接触部分（支持突部１４ｃの外側底面５２ｃに対する当接部分）を支点として傾動可能に支持された状態となる。したがって、嵌合突部１４ｂと凹部５２ｄとの間には、外側底面５２ｃの支持突部１４ｃに対する接触部を支点部とするバネ受け５２の傾動が許容される程度の隙間が設けられる。
【００６６】
このようにして上側バネ支持部１４に対して支持されるバネ受け５２の傾動は、バネ受け５２を構成する側板部５２ｂの対向方向側（平面視長手方向側）について行われる。そして、上側バネ支持部１４に対して傾動可能に支持されるバネ受け５２により、バネ５１の上側の部分が支持される。バネ５１は、その上端がバネ受け５２の底板部５２ａの内側底面５２ｅに当接するとともに、対向する側板部５２ｂ間に挟まれた状態で、バネ受け５２に支持される。このように、バネ５１の上側の部分は、バネ受け５２を介して上側バネ支持部１４に対して支持される。
【００６７】
一方、付勢支持部５０において、バネ５１の下側の部分は、灯具部５を構成する蓋体４０に対して支持される。具体的には、蓋体４０の外側面（上側面）において、バネ５１の下側の部分を支持するための下側バネ支持部４４が設けられる。下側バネ支持部４４は、バネ５１が挿入される穴部４４ｃを形成する。下側バネ支持部４４は、穴部４４ｃを形成する部分となる円筒部４４ａと、リブ部４４ｂとを有する。
【００６８】
円筒部４４ａは、蓋体４０の上側面において、蓋体４０の平面視形状である略楕円形状における中心位置において立設される円柱状の部分である。円筒部４４ａにおいて、穴部４４ｃは、円筒部４４ａの軸心に沿って上下方向に形成される。
【００６９】
リブ部４４ｂは、円筒部４４ａの外周側に形成される。リブ部４４ｂは、蓋体４０の上側面と円筒部４４ａの外周面との間に架設される略三角形状の板状の部分である。本実施形態では、リブ部４４ｂは、円筒部４４ａの外周側において平面視長手方向に対向する位置となる二箇所に設けられる。
【００７０】
これらの各部を有する下側バネ支持部４４に対して、バネ５１が挿入された状態となる。つまり、バネ５１の下側の部分が、下側バネ支持部４４の穴部４４ｃに挿入された状態となる。ここで、穴部４４ｃの径（円筒部４４ａの内径）は、バネ５１の外径と略同じとなるように設定される。
【００７１】
以上のように、付勢支持部５０においては、上側バネ支持部１４と下側バネ支持部４４とにより支持されることでハウジング部４と灯具部５との間に介装されるバネ５１により、灯具部５が、ハウジング部４に対して開口部１１側に付勢される状態で支持される。そして、このような構成を有する付勢支持部５０においては、灯具部５が傾動することにより、下側バネ支持部４４の穴部４４ｃに挿入されているバネ５１の下側の部分が、灯具部５の移動にともなって移動する。これにともない、バネ受け５２の側板部５２ｂ間に挟まれた状態となっているバネ５１の上側の部分を介して、バネ受け５２が灯具部５と反対方向に傾動する。これにより、灯具部５が傾いた状態においては、バネ５１は、側板部５２ｂ間に挟まれた状態となる上側の部分と穴部４４ｃに挿入されている下側の部分との間の部分から折れ曲がった状態となる（図１、図２参照）。
【００７２】
なお、本実施形態では、付勢支持部５０において一本のバネ５１が用いられているが、複数のバネが用いられてもよい。この場合、例えば、複数のバネが平面視短手方向に並列に配置され、上側バネ支持部１４と下側バネ支持部４４とが各バネに対応するように設けられる。
【００７３】
当接支持部６０による当接作用としては、灯具部５に設けられ灯具部５がハウジング部４に対して傾動することでハウジング部４の内側面に当接するローラ６１による当接作用が用いられる。ローラ６１は、灯具部５の平面視形状である略楕円形状における長手方向の両端側において、回転軸方向が平面視短手方向となる姿勢で、蓋体４０の上方の位置に回転自在に支持される。したがって、当接支持部６０は、蓋体４０の上方に設けられる二つのローラ６１を、前記のとおり略楕円形状における長手方向の両端側において回転軸方向が平面視短手方向となる姿勢で支持する部分となる。
【００７４】
当接支持部６０において、ローラ６１は、蓋体４０に形成されるステー４５に支持される。ステー４５は、蓋体４０の外側面（上側面）において、略楕円形状における長手方向の端部に立設される板状の部分である。ステー４５に対して、ローラ６１が、止め具６２によって回転自在に軸支される。つまり、止め具６２は、ローラ６１を貫通するとともに、ステー４５に対して螺挿されること等によって固定される。
【００７５】
ローラ６１は、平面視において、灯具部５の外周側面（本体３０の外周側面）に対して、略楕円形状における長手方向にわずかに外側にはみ出た状態で設けられる。また、二つのローラ６１は、略楕円形状における長軸上（長手方向の中心線上）に位置するように設けられる（図７参照）。ローラ６１は、灯具部５が傾動することによって、ローラ当接面１５に当接する。
【００７６】
このように、灯具部５を構成する蓋体４０にステー４５を介して二つのローラ６１が設けられる構成において、灯具部５が傾いた状態で下側に位置するローラ６１が、ローラ当接面１５に当接した状態となる（図１、図２参照）。
【００７７】
以上のような付勢支持部５０による付勢作用と当接支持部６０による当接作用とが用いられることで、灯具部５が第一の傾動状態で保持される。すなわち、灯具部５が傾いた状態で付勢支持部５０において前記のとおり折れ曲がった状態となるバネ５１によって、その傾いた状態の灯具部５が下側（開口部１１側）に向けて付勢される。これにより、灯具部５側に設けられる支持突起３４の略Ｖ字状に尖った部分である下端部がハウジング部４側に形成される略Ｖ字状の底面２０ｅに嵌った状態で、灯具部５が支持される（図１参照）。そして、このように支持突起３４の尖端部（下端部）によって支持された状態となる灯具部５が、当接支持部６０においてローラ６１がローラ当接面１５に対して当接することにより、第一の傾動状態、つまり基準開口面に対して５°傾いた状態に保持される。
【００７８】
つまり、第一の傾動状態で保持される灯具部５は、バネ５１からの下側に向かう付勢力を受けるとともに、両側の支持突起３４の尖端部の底面２０ｅに対する接触部（図１５符号Ｐ参照）と、ローラ６１のローラ当接面１５に対する当接部との計三箇所で支持された状態となる。したがって、本実施形態では、灯具部５をハウジング部４に内側から当接させるローラ６１の径の大きさ等は、灯具部５が第一の傾動状態で基準開口面に対して５°傾いた状態が保持されるように適宜設定される。
【００７９】
そして、灯具部５が、第一の傾動状態から、傾動操作（操作部７に対する押圧操作）によってさらに傾動して第二の傾動状態に達することにより、スイッチ２１がボタン２５を介して操作を受けて、ＬＥＤランプ２のＯＮ／ＯＦＦの切換え、つまりスポットライト１の点灯状態と消灯状態との切換えが行われる。ここで、灯具部５が第一の傾動状態から第二の傾動状態に至るまでの過程においては、灯具部５は、ローラ６１の回転をともないローラ６１のローラ当接面１５に対する当接部を支点部として傾動する。つまり、ローラ６１のローラ当接面１５に対する当接状態は、ローラ６１の回転をともなって維持される。このため、かかる第一の傾動状態から第二の傾動状態に至るまでの過程においては、支持突起３４の尖端部が底面２０ｅに嵌った状態が解除される（図２参照）。
【００８０】
そして、灯具部５の第二の傾動状態から、傾動操作が解除されると、灯具部５はバネ５１による付勢力や自重等によって第一の傾動状態に戻り、その第一の傾動状態が保持される。このように、灯具部５のハウジング部４に対する傾動構成においては、ローラ６１は、灯具部５の第一の傾動状態を保持する機能と、灯具部５が第二の傾動状態まで傾動する過程において灯具部５とハウジング部４との接触部における摩擦を軽減させる機能とを兼ね備える。
【００８１】
また、第一の傾動状態における、灯具部５の傾動状態の保持に際しては、灯具部５のハウジング部４に対する支持部における、灯具部５のハウジング部４に対する接触作用を用いることもできる。すなわち、前述したように、灯具部５は、支持突起３４をハウジング部４の壁部において形成される孔部（支持凸部１０ｄの先端面１０ｅと支持凹部２０ｄを形成する面とにより形成される孔部）に対して嵌合させることにより、ハウジング部４に対して支持された状態となる。また、支持突起３４は、灯具部５の略楕円筒形状における筒軸方向を長手方向とする略長円形状を有する。このため、灯具部５のハウジング部４に対する傾動にともない、支持突起３４もハウジング部４に対して傾くこととなる。
【００８２】
そこで、灯具部５の傾動にともなってハウジング部４に対して傾く支持突起３４の、ハウジング部４の壁部に形成される孔部（支持突起３４が嵌合した状態となる孔部）に対する接触作用が、灯具部５の傾動状態の保持に用いられる。具体的には、本実施形態では、ハウジング部４の壁部に形成される孔部を形成する面のうち、第二カバー体２０側の支持凹部２０ｄを形成する面に対する支持突起３４の接触作用が用いられる。したがって、支持突起３４の形状や大きさ、あるいはハウジング部４の壁部に形成される孔部の形状や大きさ（例えば幅寸法の大きさ等）の調整により、灯具部５が保持される傾動状態における灯具部５の傾動角度を変えることが可能となる。
【００８３】
以上のような構成を備えるスポットライト１における動作について、図２０を用いて説明する。図２０において、（ａ）は一側の傾動方向における灯具部５の第一の傾動状態を示す図、（ｂ）は同じく一側の傾動方向における灯具部５の第二の傾動状態を示す図、（ｃ）は他側の傾動方向における灯具部５の第一の傾動状態を示す図、（ｄ）は同じく他側の傾動方向における灯具部５の第二の傾動状態を示す図である。
【００８４】
スポットライト１は、通常状態では、灯具部５が第一の傾動状態となる。つまり、スポットライト１の通常状態においては、灯具部５が両側方向のいずれかの方向について第一傾動状態となる。そこで、図２０（ａ）に示すように、灯具部５が一側の傾動方向について第一の傾動状態にある場合であって、スポットライト１が消灯状態であるとする。かかる状態において、一側（図２０において左側、以下単に「左側」という。）の操作部７が押圧操作されることにより、灯具部５が第二の傾動状態に達する（同図（ｂ））。これにより、ＬＥＤランプ２がＯＮの状態、つまりスポットライト１が点灯状態となる。そして、灯具部５が第二の傾動状態に達した後、操作部７に対する押圧操作が解除されることにより、灯具部５は第一の傾動状態に戻って保持された状態（図２０（ａ））となる。反対側の傾動方向についても同様に、図２０（ｃ）に示すように、第一の傾動状態にある灯具部５に対して、他側（同図において右側、以下単に「右側」という。）の操作部７が押圧操作されることにより、灯具部５が第二の傾動状態に達し（同図（ｄ））、スポットライト１が点灯状態となり、操作部７に対する押圧操作が解除されることで灯具部５が第一の傾動状態に戻って保持された状態（同図（ｃ））となる。
【００８５】
図２０（ａ）に示すように、灯具部５が一側の傾動方向について第一の傾動状態にある場合であって、スポットライト１が点灯状態であるとする。かかる状態から、左側の操作部７が押圧操作されることで、灯具部５がさらに傾動して第二の傾動状態に達すること（図２０（ｂ））、あるいは右側の操作部７が押圧操作されることで、灯具部５が第一の傾動状態（同図（ｃ））を介して第二の傾動状態に達すること（同図（ｄ））により、ＬＥＤランプ２がＯＦＦの状態、つまりスポットライト１が消灯状態となる。
【００８６】
一方、スポットライト１が点灯状態であって図２０（ａ）に示す状態（第一の傾動状態）から、右側の操作部７が押圧操作されることで、灯具部５が右側に傾動して第一の傾動状態に保持された状態（同図（ｃ））となることにより、スポットライト１の照射方向が変更される。つまり、スポットライト１の点灯状態において、灯具部５の第一の傾動状態（図２０（ａ）または（ｃ））が両側方向で切り換えられることにより、スポットライト１の照明方向の切換えが行われる。ここで、灯具部５の第一の傾動状態が両側方向で切り換えられる過程においては、灯具部５は、支持突起３４の尖端部の底面２０ｅに対する接触部（図１５符号Ｐ参照）を支点部として傾動する。
【００８７】
以上のように、本実施形態のスポットライト１においては、灯具部５は、両側方向それぞれについて、基準開口面に対して所定の角度傾動した状態である第一の傾動状態で、灯具部５に設けられるローラ６１をローラ当接面１５に当接させた状態で保持され、傾動操作により第一の傾動状態からさらに傾動した状態である第二の傾動状態とされる。そして、灯具部５は、第二の傾動状態となる度にＬＥＤランプ２の点灯および消灯の切換えを行う。つまり、灯具部５は、第一の傾動状態から第二の傾動状態へ傾動操作されることによって、ＬＥＤランプ２の点灯または消灯を行う。
【００８８】
なお、本実施形態のスポットライト１においては、光源としてＬＥＤランプ２が備えられているが、これに限定されるものではない。つまり、スポットライト１においては、光源として、ＬＥＤランプ２のほか、例えば白熱電球（蛍光灯）等、他の光源が用いられてもよい。
【００８９】
以上のような本実施形態のスポットライト１によれば、旅客列車における座席の反転等に対応するに際し、簡単な構成および操作によって照明方向を変更することができる。すなわち、本実施形態のスポットライト１は、ハウジング部４に対して光源としてのＬＥＤランプ２を有する灯具部５が傾動可能に支持されるという簡単な構成である。そして、灯具部５のハウジング部４に対する傾動動作が、スポットライト１における照明方向の変更操作、および点灯・消灯の切換え操作として用いられる。このため、本実施形態のスポットライト１によれば、灯具部５をハウジング部４に対して傾動させる操作によって、旅客列車における座席の反転等に対応した照明方向の変更および点灯・消灯の切換えがワンタッチで（同方向への押圧操作で）行うことができる。つまり、本実施形態のスポットライト１においては、照明方向を変更するための操作部７が、そのままスポットライト１の点灯状態と消灯状態とを切り換えるためのスイッチとなっているため、簡単かつ良好な操作性が得られる。
【００９０】
また、本実施形態のスポットライト１によれば、例えば、旅客列車における車両によって、あるいは設けられる位置によって、座席の反転に対応する光の照射角度（照明方向）が異なる場合であっても、簡単な調整（例えばローラ６１の径の大きさを変更すること等）によって対応が可能である。
【００９１】
次に、本発明の第二実施形態について説明する。なお、第一実施形態と共通する部分については、同一の符号を用いる等して適宜その説明を省略する。本実施形態に係るスポットライトは、灯具部５の傾動状態が保持される第一の傾動状態における灯具部５の基準開口面からの傾動角度（以下「保持傾動角度」という。）の調整が可能となる構成を備える。
【００９２】
すなわち、本実施形態のスポットライト７１は、ローラ６１が当接するハウジング部４の内側面（ローラ当接面）の位置が、基準開口面に対して平行方向に調整可能に構成されている。そして、ローラ当接面の位置の調整により、保持傾動角度が調整される。
【００９３】
具体的には、図２１に示すように、本実施形態のスポットライト７１においては、第一の傾動状態における、灯具部５の傾動状態の保持は、第一実施形態のスポットライト１の場合と同様に、付勢支持部５０におけるバネ５１による付勢作用と、当接支持部６０におけるローラ６１による当接作用とが用いられて行われる。そして、本実施形態のスポットライト７１は、ローラ当接面の位置が基準開口面に対して平行方向（図２１において左右方向）に調整可能とされるために、傾動角度調整機構８０を備える。
【００９４】
傾動角度調整機構８０は、ローラ６１が当接するローラ当接面の位置を、基準開口面に対して平行方向に移動可能とする。したがって、図２１に示すように、傾動角度調整機構８０は、灯具部５において二箇所に設けられる当接支持部６０（ローラ６１）それぞれに対して設けられる。傾動角度調整機構８０は、ハウジング部４内に設けられローラ当接面８５を形成する可動壁８１と、可動壁８１を移動可能に支持する送り軸８２とを有する。つまり、本実施形態のスポットライト７１においては、ローラ当接面８５が、ローラ６１が当接するハウジング部４の内側面となる。
【００９５】
可動壁８１は、ハウジング部４において平面視長手方向に対向する両側壁部（以下「支持壁部７２」とする。）に対して略平行に設けられる板状の部材である。可動壁８１は、内側（支持壁部７２の内側面と対向する側と反対側）の板面により、ローラ６１が当接するローラ当接面８５を形成する。可動壁８１は、支持壁部７２に対して近接離間する方向（図２１において左右方向）に移動可能に設けられる（矢印Ａ１参照）。これにより、ローラ当接面８５が、基準開口面に対して平行方向に移動可能となる。つまり、本実施形態では、ローラ当接面８５についての基準開口面に対して平行方向は、可動壁８１が支持壁部７２に対して移動する方向となる。
【００９６】
なお、ローラ当接面８５の移動方向は、ローラ当接面８５が移動することで保持傾動角度が変化する方向であればよい。このため、ローラ当接面８５の移動方向について、基準開口面に対して平行方向には、基準開口面に対して略平行な方向も含まれる趣旨である。
【００９７】
可動壁８１によって形成されるローラ当接面８５は、少なくとも灯具部５の傾動範囲においてローラ６１が当接することができる程度の大きさ（面積）を有する。可動壁８１は、送り軸８２によって、ハウジング部４の支持壁部７２に対して支持される。すなわち、送り軸８２は、支持壁部７２に対して、支持壁部７２を略垂直方向に貫通する状態で支持される。そして、送り軸８２のハウジング部４内部側の先端部に、可動壁８１が支持される。本実施形態では、上下方向に平行に配される二本の送り軸８２が設けられている。なお、送り軸８２は、一本あるいは三本以上であってもよい。
【００９８】
送り軸８２の操作によって、可動壁８１が前記のとおり支持壁部７２に対して近接離間する方向に移動する。このため、送り軸８２は、可動壁８１を支持する側と反対側の端部に操作部８３を有する。送り軸８２の操作によって可動壁８１を移動させるための構成としては、例えば、送り軸８２が支持壁部７２に対して螺挿されることにより、送り軸８２の回転操作にともなう軸方向に沿う移動が、可動壁８１の移動となる構成が用いられる。ただし、操作部８３の操作によって可動壁８１を移動させるための構成は、特に限定されるものではない。
【００９９】
このように、本実施形態のスポットライト７１においては、傾動角度調整機構８０により、ローラ当接面８５の位置が、基準開口面に対して平行方向に調整可能とされる。そして、傾動角度調整機構８０によるローラ当接面８５の位置の調整により、灯具部５の保持傾動角度が調整される。
【０１００】
すなわち、傾動角度調整機構８０において、ローラ当接面８５の位置が変化することにより、付勢支持部５０のバネ５１による付勢作用とともに、当接支持部６０のローラ６１による当接作用を受ける灯具部５の保持傾動角度が変化する。したがって、操作部８３の操作によって可動壁８１が移動させられることでローラ当接面８５の位置が調整されることにより、灯具部５の保持傾動角度が調整される。
【０１０１】
なお、本実施形態では、ローラ当接面の位置を基準開口面に対して平行方向に調整可能とするための構成として、ローラ当接面８５を形成する可動壁８１と送り軸８２とを有する構成が用いられているが、これに限定されるものではない。ローラ当接面の位置が、基準開口面に対して平行方向に調整可能となる構成としては、例えば、ハウジング部４を構成する支持壁部７２が、ローラ当接面を形成するとともに、支持壁部７２の一部が部分的に移動可能となる構成等、他の構成を採用することができる。
【０１０２】
本実施形態のスポットライト７１によれば、光の照射角度（照明方向）の調整を、部材の交換等を必要とせずに容易に行うことができる。これにより、例えば、旅客列車における車両によって、あるいは設けられる位置によって、必要とされる照明方向が変化する場合であっても、容易に対応することができ、汎用性を向上させることができる。
【０１０３】
本実施形態のスポットライトの使用例について、図２２〜図２４を用いて説明する。本使用例は、第一実施形態に係るスポットライト１が、旅客列車としての新幹線１００において各座席１０１に対して設けられる読書灯（個別照明）として用いられる場合についてのものである。
【０１０４】
図２２に示すように、本使用例に係る新幹線１００は、座席１０１として、二人掛け座席１０２と、三人掛け座席１０３とを有する。二人掛け座席１０２および三人掛け座席１０３それぞれの上方には、新幹線１００の車体から延出される荷棚１０４が設けられている。この荷棚１０４の内部空間に、スポットライト１が設けられる。すなわち、図２４に示すように、荷棚１０４の下面部１０４ａが、スポットライト１を支持する支持体３として用いられ、この支持体３としての下面部１０４ａに対して、スポットライト１が下側に向けて光を照射するように設けられる。
【０１０５】
スポットライト１は、各座席１０１に対して設けられるため、二人掛け座席１０２の上方の荷棚１０４においては、二つのスポットライト１が設けられ、三人掛け座席１０３の上方の荷棚１０４においては、三つのスポットライト１が設けられる。スポットライト１は、灯具部５のハウジング部４に対する傾動による照明方向の変更が、新幹線１００の前後方向（図２３における左右方向）側について行われるように設けられる。したがって、図２２に示すように、スポットライト１は、座席１０１の並列方向（図２２における左右方向）については、予め各座席１０１に対して最適な照明範囲（符号Ｌ参照）が得られる姿勢となるように設けられる。
【０１０６】
二人掛け座席１０２および三人掛け座席１０３は、それぞれ新幹線１００の前後方向で反転可能に設けられる。つまり、図２３に示すように、新幹線１００においては、座席１０１として、前後方向の一側方向（新幹線１００の進行方向、矢印Ａ２参照）を向く座席（以下「前向き座席」という。）１０１ａと、これに対して反転した状態となる前後方向の他側方向（新幹線１００の進行方向と反対方向）を向く座席（以下「後向き座席」という。）１０１ｂとが存在する。このように互いに反転した状態である前向き座席１０１ａと後向き座席１０１ｂに対して、スポットライト１の照明方向が切り換えられる。
【０１０７】
具体的には、スポットライト１は、座席１０１の反転にともなう前向き座席１０１ａと後向き座席１０１ｂとの向きの変化における前後方向略中心位置に設けられる。これにより、前向き座席１０１ａに対する照明範囲（符号Ｌ１参照）と、後向き座席１０１ｂに対する照明範囲（符号Ｌ２参照）とが、座席１０１との関係において同様の照明範囲となる。つまり、スポットライト１の照明方向の切換えにより、座席１０１に着席する乗客１０５に対して、前向き座席１０１ａおよび後向き座席１０１ｂの各座席１０１の向きにかかわらず、同様の照明範囲が得られる。
【０１０８】
このようなスポットライト１の使用例によれば、座席１０１に着席する乗客１０５は、座席１０１の反転に対応して、照明方向の変更および点灯・消灯の切換えを、荷棚１０４の下側からの操作部７に対するワンタッチの操作で行うことができる。これにより、車両内が混雑しているような状況でも、簡単に操作することができる。
【０１０９】
また、スポットライト１においては、照明範囲が、灯具部５が両側方向に５°傾いた状態に対応するものとなる。つまり、スポットライト１において光を照射する部分となる灯具部５の可動範囲は、５°〜−５°として設定される。このため、座席１０１の反転にともなって照明方向が切り換えられることによっても、他の座席１０１（前後の座席１０１）へ直接光が漏れることが防止される。このように、スポットライト１によれば、前後の座席１０１の乗客１０５の快適性を損なうことなく、各座席１０１に対する個別照明としてのプライベート性を確保することができる。
【図面の簡単な説明】
【０１１０】
【図１】本発明の第一実施形態に係るスポットライトの構成を示す側面一部断面図。
【図２】同じく灯具部の第二の傾動状態を示す図。
【図３】ハウジング部の構成を示す平面図。
【図４】同じく底面図。
【図５】図４におけるＡ−Ａ断面図。
【図６】図４におけるＢ−Ｂ断面図。
【図７】灯具部の構成を示す平面図。
【図８】同じく底面図。
【図９】図８におけるＣ−Ｃ断面図。
【図１０】図８におけるＤ−Ｄ断面図。
【図１１】ＬＥＤランプの構成を示す図。
【図１２】本発明の第一実施形態に係るスポットライトの構成を示す一部切欠き分解斜視図。
【図１３】同じく平面図。
【図１４】同じく底面図。
【図１５】図１４におけるＥ−Ｅ断面図。
【図１６】図１４におけるＦ−Ｆ断面図。
【図１７】図１６におけるＧ−Ｇ断面図。
【図１８】ＬＥＤランプとスイッチの回路構成を示す図。
【図１９】バネ受けの構成を示す図。
【図２０】本発明の第一実施形態に係るスポットライトの動作説明図。
【図２１】本発明の第二実施形態に係るスポットライトの構成を示す側面一部断面図。
【図２２】本発明に係るスポットライトの使用例を示す図。
【図２３】本発明に係るスポットライトの使用例を示す図。
【図２４】本発明に係るスポットライトの使用例を示す図。
【符号の説明】
【０１１１】
１    スポットライト
２    ＬＥＤランプ（光源）
３    支持体
４    ハウジング部
５    灯具部
５ａ  端面部
６    照射部
７    操作部
１１  開口部
１５  ローラ当接面（ハウジング部の内側面）
５１  バネ（弾性部材）
６１  ローラ（当接部材）
７１  スポットライト
８０  傾動角度調整機構
８５  ローラ当接面（ハウジング部の内側面）
【図１】
2010006284.tif 000003
【図２】
2010006284.tif 000004
【図３】
2010006284.tif 000005
【図４】
2010006284.tif 000006
【図５】
2010006284.tif 000007
【図６】
2010006284.tif 000008
【図７】
2010006284.tif 000009
【図８】
2010006284.tif 000010
【図９】
2010006284.tif 000011
【図１０】
2010006284.tif 000012
【図１１】
2010006284.tif 000013
【図１２】
2010006284.tif 000014
【図１３】
2010006284.tif 000015
【図１４】
2010006284.tif 000016
【図１５】
2010006284.tif 000017
【図１６】
2010006284.tif 000018
【図１７】
2010006284.tif 000019
【図１８】
2010006284.tif 000020
【図１９】
2010006284.tif 000021
【図２０】
2010006284.tif 000022
【図２１】
2010006284.tif 000023
【図２２】
2010006284.tif 000024
【図２３】
2010006284.tif 000025
【図２４】
2010006284.tif 000026